(57)【特許請求の範囲】
【請求項１】
袋状の外皮と、前記外皮に充填された変形可能な充填材料とから成る体躯接触具において、前記外皮の身体に接触する接触部は全方向へ伸縮自在な材料によって構成され、且つ外皮の身体に接触しない非接触部は特定の方向へのみ伸縮する材料によって構成されており、
前記外皮は人の腹部に嵌る程度の大きさの凹部を有し、前記凹部周辺に前記接触部が形成され、
前記接触部を囲む部位に前記非接触部が設けられ、
前記非接触部は前記凹部を腹部に嵌め体躯接触具を身体に装着した状態で身体の前後方向に伸縮自在であることを特徴とする体躯接触具。
【請求項２】
請求項１に記載した体躯接触具において、充填材料は流動体であることを特徴とする体躯接触具。
【請求項３】
請求項２に記載した体躯接触具において、流動体は粒状体であることを特徴とする体躯接触具。
【請求項４】
請求項３に記載した体躯接触具において、粒状体は直径０．５ｍｍ〜１．５ｍｍのビーズであることを特徴とする体躯接触具。
【請求項５】
請求項１から４のいずれかに記載した体躯接触具において、接触部の伸び率は３０％以上であることを特徴とする体躯接触具。
【発明の詳細な説明】
【技術分野】
【０００１】
本発明は体躯接触具に係り、クッション、枕、マットレス等の身体の一部に接触して支持する体躯接触具に関するものである。
【背景技術】
【０００２】
身体を支持する体躯接触具としては、例えば特許文献１、２に記載されたものがある。
特許文献１に記載されたマットレスは、充填材料としてのウレタンフォーム製のクッション材と、このクッション材を収容する外皮とから成り、全体的に均一な弾性力を有するクッション材がある程度弾性変形して身体を支持する。
また、特許文献２に記載されたクッションは、伸縮性生地で構成された外皮としての外袋と、この外袋に充填された充填材料としての発泡樹脂粒子とから成り、身体の重さに応じて外袋が伸縮すると共に発泡樹脂粒子が流動して、身体に密着する。
【先行技術文献】
【特許文献】
【０００３】
【特許文献１】特開２００９−１００９８６号公報
【特許文献２】特開２００５−２３０１３７号公報
【発明の概要】
【発明が解決しようとする課題】
【０００４】
しかしながら、特許文献１に記載されたマットレスのウレタンフォーム製のクッション材は、いずれの部分においても同じ弾性力しか発揮できないので、身体の形状に完全に対応して変形することができない。従って、このマットレスは、身体に密着して身体全体を支持することができないという問題がある。
また、特許文献２に記載されたクッションは、全体が伸縮性生地で構成された外袋と、流動性を有する発泡樹脂粒子とから成っているので、ウレタンフォーム製のクッション材のような大きな弾性力を持たない。従って、このクッションは、身体に密着するが、身体をしっかり支持できないという問題がある。
例えば、介護用の体躯接触具としてのクッション等には、身体に密着して、しかも身体をしっかり支持することが要求されるが、上記した特許文献１、２いずれの体躯接触具もこの要求を満たすことができない。
【０００５】
本発明は上記従来の問題点に着目して為されたものであり、身体に密着することができ、しかも身体をしっかり支持することができる体躯接触具を提供することを、その目的とする。
【課題を解決するための手段】
【０００６】
本発明は上記課題を解決するためになされたものであり、請求項１の発明は、袋状の外皮と、前記外皮に充填された変形可能な充填材料とから成る体躯接触具において、前記外皮の身体に接触する接触部は全方向へ伸縮自在な材料によって構成され、且つ外皮の身体に接触しない非接触部は特定の方向へのみ伸縮する材料によって構成されており、前記外皮は人の腹部に嵌る程度の大きさの凹部を有し、前記凹部周辺に前記接触部が形成され、前記接触部を囲む部位に前記非接触部が設けられ、前記非接触部は前記凹部を腹部に嵌め体躯接触具を身体に装着した状態で身体の前後方向に伸縮自在であることを特徴とする体躯接触具である。
【０００７】
請求項２の発明は、請求項１に記載した体躯接触具において、充填材料は流動体であることを特徴とする体躯接触具である。
【０００８】
請求項３の発明は、請求項２に記載した体躯接触具において、流動体は粒状体であることを特徴とする体躯接触具である。
【０００９】
請求項４の発明は、請求項３に記載した体躯接触具において、粒状体は直径０．５ｍｍ〜１．５ｍｍのビーズであることを特徴とする体躯接触具である。
【００１３】
請求項５の発明は、請求項１から４のいずれかに記載した体躯接触具において、接触部の伸び率は３０％以上であることを特徴とする体躯接触具である。
【発明の効果】
【００１４】
本発明の体躯接触具によれば、外皮の身体に接触する接触部は全方向へ伸縮自在な材料によって構成されているので、身体に密着することができる。しかも外皮の身体に接触しない非接触部は伸縮しないか特定の方向へのみ伸縮する材料によって構成されているので、外皮に流動性を有する充填材料を充填しても身体をしっかり支持することが可能である。
【図面の簡単な説明】
【００１５】
【図１】本発明の実施の形態１に係る体躯接触具としてのクッションの斜視図である。
【図２】図１のクッションの底面図である。
【図３】図１のクッションの身体に装着した状態を示す斜視図である。
【図４】図１のクッションの身体に装着した状態を示す平面図である。
【図５】本発明の実施の形態２に係る体躯接触具としてのマットレスの斜視図である。
【図６】本発明の実施の形態３に係る体躯接触具としての枕の斜視図である。
【発明を実施するための形態】
【００１６】
本発明の実施の形態１に係る体躯接触具としてのクッション１を図１から図４にしたがって説明する。後述するように介護用として使用する。
クッション１は袋状の外皮３と、後述する充填材料としてのビーズ１５とによって構成されている。
【００１７】
外皮３の詳細な構成について説明する。
外皮３は人の腹部に嵌る程度の大きさの凹部７を有している。
凹部７の周辺には接触部９が設けられており、この接触部９は全方向へ伸縮自在な布によって構成されている。この布は、例えばポリアミド系繊維（混紡率８９％）とポリウレタン系繊維（混紡率１１％）とから成り、布の伸び率は３４．６％〜５９．６％である。
接触部９を囲む部位には非接触部１１が設けられており、この非接触部１１は前後方向（図２において矢印の示す方向）へのみ伸縮自在で他の方向には伸縮しない布によって構成されている。この布は、例えば綿糸（混紡率９７％）とポリウレタン系繊維（混紡率３％）とから成り、布の伸び率は２８．８％以下である。
【００１８】
符号１５は充填材料である粒状体としてのビーズを示し、このビーズ１５は流動体として機能する。ビーズ１５はポリスチレン製で、このビーズ１５の直径は０．５ｍｍ〜１．５ｍｍである。ビーズ１５は外皮３に充填されており、このビーズ１５は外皮３内で流動可能となっている。
【００１９】
次に、クッション１の使用方法について説明する。
図３に示すようにクッション１の凹部７を車椅子Ｋに座った人の腹部に嵌めて、クッション１を身体Ｓに装着する。
前述したように接触部９は全方向へ伸縮自在な布によって構成され、しかも外皮３には流動可能なビーズ１５が充填されているので、クッション１を腹部に嵌めるとき、接触部９が伸縮すると共にビーズ１５が外皮３内で流動し、接触部９が腹部に沿った形状に変形して、クッション１が身体Ｓに装着される。従って、クッション１が身体Ｓにしっかり装着されて不用意にずれてしまうのを防止できる。
【００２０】
腹部に装着したクッション１は太ももの上に載った状態となり、使用者はクッション１の上に前腕部をついて身体Ｓを支えることができる。前述したように非接触部１１は前後方向へのみ伸縮自在で他の方向には伸縮しない布によって構成されている。従って、クッション１全体ではある程度の高い弾性力を有しており、荷重に対する十分な支持力を発揮して身体Ｓをしっかりと支持することが可能である。
【００２１】
また、非接触部１１は身体Ｓの前後方向へ伸縮自在であるので、非接触部１１に載せた指を曲げたり伸ばしたりする際に、非接触部１１が伸縮する。従って、非接触部１１は指の曲げ伸ばし運動を補助することが可能である。
なお、上記したようにクッション１は車椅子Ｋに乗った者の身体Ｓを支える言わば介護用として用いるが、普通のクッションとして用いることもできる。
【００２２】
本発明の実施の形態２に係る体躯接触具としてのマットレス２１を図５にしたがって説明する。
マットレス２１は袋状の外皮２３と、この外皮２３に充填された図示しないビーズとによって構成されている。
外皮２３の上部は接触部２５となっており、この接触部２５は実施の形態１に係るクッション１の接触部９と同様の全方向へ伸縮自在な布によって構成されている。また外皮２３の側部と下部は非接触部２７となっており、この非接触部２７はいずれの方向へも伸縮しない布によって構成されている。
外皮２３に充填された図示しないビーズは、実施の形態１に係るクッション１のビーズ１５と同じものである。
【００２３】
次に、マットレス２１の使用方法について説明する。
図５に示すようにマットレス２１上に身体Ｓを横たえる。すると身体Ｓの重さに応じて接触部２５が伸縮すると共に外皮２３内のビーズが流動し、接触部２５が身体Ｓに沿った形状に変形して身体Ｓに密着する。
前述したように非接触部２７はいずれの方向へも伸縮しない布によって構成されている。従って、マットレス２１全体ではある程度の高い弾性力を有しており、荷重に対する十分な支持力を発揮して身体Ｓ全体をしっかりと支持することが可能である。
従って、マットレス使用者の体格、寝る姿勢等が異なっても、常に使用者が楽な状態で身体Ｓ全体をしっかりと支持することができる。
【００２４】
本発明の実施の形態３に係る体躯接触具としての枕３１を図６にしたがって説明する。
枕３１は袋状の外皮３３と、この外皮３３に充填された図示しないビーズとによって構成されている。
外皮３３の上部の略中心部は接触部３５となっており、この接触部３５は実施の形態１に係るクッション１の接触部９と同様の全方向へ伸縮自在な布によって構成されている。また外皮３３の接触部３５以外の部分は非接触部３７となっており、この非接触部３７はいずれの方向へも伸縮しない布によって構成されている。
外皮３３に充填された図示しないビーズは、実施の形態１に係るクッション１のビーズ１５と同じものである。
【００２５】
次に、枕３１の使用方法について説明する。
図６に示すように枕３１に頭Ａを載せる。すると頭Ａの重さに応じて接触部３５が伸縮すると共に外皮３３内のビーズが流動し、接触部３５が頭Ａに沿った形状に変形して頭Ａに密着する。
前述したように非接触部３７はいずれの方向へも伸縮しない布によって構成されている。従って、枕３１全体ではある程度の高い弾性力を有しており、荷重に対する十分な支持力を発揮して頭Ａをしっかりと支持することが可能である。
よって、枕使用者の頭部の大きさ、形状に拘わらず、常に枕使用者が楽な状態で頭部全体をしっかりと支持することができる。
【００２６】
以上、本発明の実施の形態について詳述してきたが、具体的構成は、この実施の形態に限られるものではなく、本発明の要旨を逸脱しない範囲における設計の変更などがあっても発明に含まれる。
上記実施の形態１では体躯接触具をクッション１とし、上記実施の形態２では体躯接触具をマットレス２１とし、上記実施の形態３では体躯接触具を枕３１としたが、体躯接触具は身体に接触して支持するものであればよく、例えば体躯接触具を座布団としてもよい。
上記実施の形態１では、ビーズ１５をポリスチレンによって構成したが、ビーズ１５の材質はポリスチレンに限定されない。
また、充填材料をビーズ１５によって構成したが、充填材料を例えば空気や水等の流動体で構成してもよい。
上記実施の形態１では、非接触部１１を前後方向へのみ伸縮自在な布によって構成したが、非接触部１１を左右方向へのみ伸縮自在な布または伸縮しない布等によって構成してもよい。
【産業上の利用可能性】
【００２７】
本発明は、クッションやマットレス等の体躯接触具の製造業に利用可能である。
【符号の説明】
【００２８】
１…クッション      ３…外皮      ７…凹部
９…接触部      １１…非接触部      １５…ビーズ
２１…マットレス      ２３…外皮      ２５…接触部
２７…非接触部
３１…枕      ３３…外皮      ３５…接触部
３７…非接触部
Ｋ…車椅子      Ｓ…身体      Ａ…頭
【図１】
0005604877.tif 000002
【図２】
0005604877.tif 000003
【図３】
0005604877.tif 000004
【図４】
0005604877.tif 000005
【図５】
0005604877.tif 000006
【図６】
0005604877.tif 000007